(57)【要約】【課題】広告コンテンツを表示する広告表示化粧板の製造を容易にする支援システムを提供する。【解決手段】製造支援システム１０は、広告コンテンツを第１面側から視認可能に構成された広告表示化粧板の製造支援システムであり、広告依頼情報取得部１１０、候補情報取得部１２０、提示部１３０、入力部１４０、および出力部１９０を備える。広告依頼情報取得部１１０は、広告コンテンツを示す情報を含む広告依頼情報を取得する。候補情報取得部１２０は、広告表示化粧板の第１面の表面形状を示す情報を含む候補情報を複数取得する。提示部１３０は、広告依頼情報に基づいて広告コンテンツを提示し、複数の候補情報のうち少なくとも一つを提示する。入力部１４０は、提示された候補情報の内、採用する候補情報を示す入力を受け付ける。出力部１９０は、入力部１４０への入力結果に基づいて、製造する広告表示化粧板が満たすべき条件を示す製造情報を出力する。【選択図】図１
2018037023.tif 000002
【特許請求の範囲】
【請求項１】
広告コンテンツを第１面側から視認可能に構成された広告表示化粧板の製造支援システムであって、
前記広告コンテンツを示す情報を含む広告依頼情報を取得する広告依頼情報取得部と、
前記広告表示化粧板の前記第１面の表面形状を示す情報を含む候補情報を複数取得する候補情報取得部と、
前記広告依頼情報に基づいて前記広告コンテンツを提示し、前記複数の候補情報のうち少なくとも一つを提示する提示部と、
提示された前記候補情報の内、採用する前記候補情報を示す入力を受け付ける入力部と、
前記入力部への入力結果に基づいて、製造する前記広告表示化粧板が満たすべき条件を示す製造情報を出力する出力部とを備える広告表示化粧板の製造支援システム。
【請求項２】
請求項１に記載の広告表示化粧板の製造支援システムにおいて、
前記広告表示化粧板は、前記第１面側から前記広告コンテンツを視認可能に構成された表示部材と、前記表示部材の前記第１面側とは反対側の第２面側に固定されたマグネット部材とを備える広告表示化粧板の製造支援システム。
【請求項３】
請求項１または２に記載の広告表示化粧板の製造支援システムにおいて、
取得した前記複数の候補情報のうち、提示する前記候補情報を選択する選択部をさらに備え、
前記提示部は、選択された前記候補情報を提示する広告表示化粧板の製造支援システム。
【請求項４】
請求項３に記載の広告表示化粧板の製造支援システムにおいて、
前記広告依頼情報は、前記広告表示化粧板を貼り付ける面の形状を示す情報をさらに含み、
前記候補情報は、前記広告表示化粧板を構成する部材の素材を示す情報をさらに含み、
前記選択部は、前記面の形状を示す情報に基づいて、前記提示する候補情報を選択する広告表示化粧板の製造支援システム。
【請求項５】
請求項３または４に記載の広告表示化粧板の製造支援システムにおいて、
前記広告依頼情報は、広告の掲示場所を示す情報をさらに含み、
前記候補情報は、前記表面形状を示す情報として前記広告表示化粧板の前記第１面の表面粗さを示す情報を含み、
前記選択部は、前記掲示場所を示す情報に基づいて前記提示する候補情報を選択する広告表示化粧板の製造支援システム。
【請求項６】
請求項３〜５のいずれか一項に記載の広告表示化粧板の製造支援システムにおいて、
前記広告依頼情報は、予算を示す情報をさらに含み、
前記候補情報は、金額を示す情報をさらに含み、
前記選択部は、前記金額を示す情報および前記予算を示す情報に基づいて前記提示する候補情報を選択する広告表示化粧板の製造支援システム。
【請求項７】
請求項１〜６のいずれか一項に記載の広告表示化粧板の製造支援システムにおいて、
前記広告依頼情報を処理する処理部をさらに備え、
前記広告依頼情報は、広告の掲示面の寸法を示す情報をさらに含み、
前記処理部は、前記寸法を示す情報に基づいて前記広告コンテンツを複数に分割し、
前記提示部は、分割された前記広告コンテンツを提示する広告表示化粧板の製造支援システム。
【請求項８】
請求項１〜７のいずれか一項に記載の広告表示化粧板の製造支援システムにおいて、
広告媒体に前記広告表示化粧板が施工された状態を示す画像を生成する画像生成部をさらに備え、
前記広告依頼情報は、前記広告媒体を示す情報を含み、
前記画像生成部は、前記広告依頼情報に基づいて、前記画像を生成し、
前記提示部は、前記画像を提示する広告表示化粧板の製造支援システム。
【請求項９】
広告コンテンツを第１面側から視認可能に構成された広告表示化粧板の製造支援システムを実現するためのコンピュータプログラムであって、
コンピュータを、
前記広告コンテンツを示す情報を含む広告依頼情報を取得する広告依頼情報取得手段、
前記広告表示化粧板の前記第１面の表面形状を示す情報を含む候補情報を複数取得する候補情報取得手段、
前記広告依頼情報に基づいて前記広告コンテンツを提示し、前記複数の候補情報のうち少なくとも一つを提示する提示手段、
提示された前記候補情報の内、採用する前記候補情報を示す入力を受け付ける入力手段、および
前記入力手段への入力結果に基づいて、製造する前記広告表示化粧板が満たすべき条件を示す製造情報を出力する出力手段として機能させるコンピュータプログラム。
【発明の詳細な説明】
【技術分野】
【０００１】
本発明は広告表示化粧板の製造支援システムおよびコンピュータプログラムに関する。
【背景技術】
【０００２】
建物の内壁等にデザイン性を付与する化粧板においては、意匠性や耐久性を加味した様々な構造が開発されている。
【０００３】
たとえば特許文献１には、部材の意匠情報をかえながら空間イメージを確認できる、デザインシミュレーションを用いた商品提案システムが記載されている。
【先行技術文献】
【特許文献】
【０００４】
【特許文献１】特開２００５−２１５９６５号公報
【発明の概要】
【発明が解決しようとする課題】
【０００５】
しかし、化粧板に単なる模様以外のコンテンツを表示させようとする場合、そのような化粧板の製造を容易にするシステムは無かった。
【０００６】
本発明は、広告コンテンツを表示する広告表示化粧板の製造を容易にする支援システムを提供する。
【課題を解決するための手段】
【０００７】
本発明によれば、
広告コンテンツを第１面側から視認可能に構成された広告表示化粧板の製造支援システムであって、
前記広告コンテンツを示す情報を含む広告依頼情報を取得する広告依頼情報取得部と、
前記広告表示化粧板の前記第１面の表面形状を示す情報を含む候補情報を複数取得する候補情報取得部と、
前記広告依頼情報に基づいて前記広告コンテンツを提示し、前記複数の候補情報のうち少なくとも一つを提示する提示部と、
提示された前記候補情報の内、採用する前記候補情報を示す入力を受け付ける入力部と、
前記入力部への入力結果に基づいて、製造する前記広告表示化粧板が満たすべき条件を示す製造情報を出力する出力部とを備える広告表示化粧板の製造支援システム
が提供される。
【０００８】
本発明によれば、
広告コンテンツを第１面側から視認可能に構成された広告表示化粧板の製造支援システムを実現するためのコンピュータプログラムであって、
コンピュータを、
前記広告コンテンツを示す情報を含む広告依頼情報を取得する広告依頼情報取得手段、
前記広告表示化粧板の前記第１面の表面形状を示す情報を含む候補情報を複数取得する候補情報取得手段、
前記広告依頼情報に基づいて前記広告コンテンツを提示し、前記複数の候補情報のうち少なくとも一つを提示する提示手段、
提示された前記候補情報の内、採用する前記候補情報を示す入力を受け付ける入力手段、および
前記入力手段への入力結果に基づいて、製造する前記広告表示化粧板が満たすべき条件を示す製造情報を出力する出力手段として機能させるコンピュータプログラム
が提供される。
【発明の効果】
【０００９】
本発明によれば、広告コンテンツを表示する広告表示化粧板の製造を容易にする支援システムを提供できる。
【図面の簡単な説明】
【００１０】
【図１】第１の実施形態に係る製造支援システムの構成を例示するブロック図である。
【図２】第１の実施形態に係る広告表示化粧板の構造を例示する断面図である。
【図３】第１の実施形態に係る製造支援システムの処理の流れを例示するフローチャートである。
【図４】第２の実施形態に係る製造支援システムの機能構成を例示するブロック図である。
【図５】第２の実施形態に係る製造支援システムの処理の流れを例示するフローチャートである。
【図６】第３の実施形態に係る製造支援システムの機能構成を例示するブロック図である。
【図７】第３の実施形態に係る広告表示化粧板の施工方法を説明するための図である。
【図８】第４の実施形態に係る製造支援システムの機能構成を例示するブロック図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
以下に示す説明において、製造支援システム１０の広告依頼情報取得部１１０、候補情報取得部１２０、提示部１３０、入力部１４０、記憶部１５０、処理部１６０、選択部１７０、画像生成部１８０、および出力部１９０は、ハードウエア単位の構成ではなく、機能単位のブロックを示している。製造支援システム１０の広告依頼情報取得部１１０、候補情報取得部１２０、提示部１３０、入力部１４０、記憶部１５０、処理部１６０、選択部１７０、画像生成部１８０、および出力部１９０は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
（第１の実施形態）
図１は、第１の実施形態に係る製造支援システム１０の構成を例示するブロック図である。本実施形態に係る製造支援システム１０は、広告コンテンツを第１面側から視認可能に構成された広告表示化粧板の製造支援システムである。製造支援システム１０は、広告依頼情報取得部１１０、候補情報取得部１２０、提示部１３０、入力部１４０、および出力部１９０を備える。広告依頼情報取得部１１０は、広告コンテンツを示す情報を含む広告依頼情報を取得する。候補情報取得部１２０は、広告表示化粧板の候補情報を複数取得する。提示部１３０は、広告依頼情報に基づいて広告コンテンツを提示し、また、複数の候補情報のうち少なくとも一つを提示する。入力部１４０は、提示された候補情報の内、採用する候補情報を示す入力を受け付ける。出力部１９０は、入力部１４０への入力結果に基づいて、製造する広告表示化粧板が満たすべき条件を示す製造情報を出力する。候補情報は、たとえば広告表示化粧板の第１面の表面形状を示す情報を含む。以下に詳しく説明する。
【００１４】
広告表示化粧板の製造においては、表示しようとする広告コンテンツの内容や広告表示化粧板の設置場所等に応じた広告化粧板の構成設計が重要となる。化粧板を単に内装の壁紙として用いる場合には意匠性のみを重視すればよいのに対し、広告表示化粧板は単なる意匠性、審美性とは異なった観点で広告コンテンツの内容に対応した仕様を有することが好ましい。
【００１５】
たとえば、広告コンテンツのデザインの視認しやすさは、広告表示化粧板の光沢等に依存する。具体的には、広告表示化粧板が文字コンテンツを表示している場合、表示面（第１面）の光沢は強くないことが好ましい。そうすれば、色のコントラストが視認しやすくなることで、広告表示化粧板を見る人に文字情報が認識されやすくなる。一方、広告表示化粧板が主に図形や写真を表示している場合には、表示面の光沢はある程度強くてもよい場合がある。広告表示化粧板の表示面に、適度な光沢をもたせることにより、広告表示化粧板を見る人にインパクトを与えることができる。
【００１６】
そして広告表示化粧板の製造者は、広告の依頼内容に基づいて、広告表示化粧板の仕様を個別に設定する必要があり、その作業は煩雑となる。これに対し、本実施形態に係る製造支援システム１０によれば、そのような作業を容易とし、広告表示化粧板の製造を容易に行うことができる。
【００１７】
図２は、第１の実施形態に係る広告表示化粧板２０の構造を例示する断面図である。広告表示化粧板２０について以下に説明する。ただし、広告表示化粧板２０の構造は特に限定されない。
【００１８】
本実施形態に係る広告表示化粧板２０は、第１面２０１側から広告コンテンツを視認可能に構成された表示部材２２と、表示部材２２の第２面２０２側に固定されたマグネット部材２４とを備える。第２面２０２とは、広告表示化粧板２０の主面のうち、第１面２０１とは反対側の面である。
【００１９】
広告表示化粧板２０は、広告媒体に取り付けられて広告コンテンツを表示する。広告表示化粧板２０はマグネット部材２４を有し、広告媒体に脱着可能に構成されていることで、広告期間が終了した場合には広告媒体から取り外すことができる。広告媒体は建物の内壁や柱、家具の表面等である。ここで、建物の内壁としてはたとえば具体的には部屋や通路、エレベータ等の内壁が挙げられる。広告表示化粧板２０は全体として可撓性を有してもよい。
【００２０】
広告コンテンツは、文字、写真、図形、記号等を適宜組み合わせて構成され、一連の広告内容を示している。広告コンテンツは、なかでも文字を含むことが好ましい。
【００２１】
表示部材２２は化粧シートである。表示部材２２の構造は特に限定されないが、本図で示す例において表示部材２２は表面層２２０および芯材層２２９を含む。本図の例において表面層２２０は芯材層２２９と接している。さらに表面層２２０は、印刷基材２２２、印刷部２２１、第１樹脂層２２３、および第２樹脂層２２４を含んで構成されている。広告表示化粧板２０の第１面２０１には、表面層２２０が露出している。
【００２２】
表示部材２２は、広告コンテンツを表示する部分である。表示部材２２は、第１面２０１側から印刷部２２１、すなわち印刷された広告コンテンツを視認可能に構成されている。
【００２３】
表面層２２０は、たとえば印刷基材２２２に対して広告面となる第１面２０１側に第１樹脂層２２３を有し、芯材層２２９と接する第２面２０２側に第２樹脂層２２４を有する。
【００２４】
印刷基材２２２は、たとえばパルプ、リンター、合成繊維、ガラス繊維である。また、印刷基材２２２は、酸化チタンなどの顔料を含有する酸化チタン含有化粧紙であってもよい。
【００２５】
印刷部２２１は、広告コンテンツを示す。印刷部２２１は印刷により印刷基材２２２に担持されたインクである。印刷部２２１は、印刷基材２２２の表面に層状に形成されていてもよいし、少なくとも一部が印刷基材２２２に含浸していてもよい。印刷法は、特に限定されないが、グラビア印刷、インクジェット印刷、オフセット印刷等を用いることができる。
【００２６】
第１樹脂層２２３および第２樹脂層２２４は、それぞれ樹脂を含む層である。第１樹脂層２２３および第２樹脂層２２４を構成する樹脂は互いに同じであっても良いし、異なっていても良い。
【００２７】
芯材層２２９は、たとえばガラスクロス、またはガラスクロスを基材とするプリプレグを含んで構成されている。これにより、メラミン化粧シートに、耐熱性、不燃性、剛性などを付与することができる。
【００２８】
マグネット部材２４は、表示部材２２の第２面２０２側に固定されている。広告表示化粧板２０がマグネット部材２４を備えることにより、表面または内部に磁性体を含む広告媒体に脱着可能に取り付けることができる。
【００２９】
マグネット部材２４は、接着層２３により表示部材２２に固定されている。接着層２３は特に限定されないが、たとえば、主として粘着剤で構成されている。なお、芯材層２２９に接着剤が含浸されている場合等、芯材層２２９が接着層２３を兼ねていても良い。
【００３０】
広告表示化粧板２０は、さらに金属層や保護層を含んでも良い。
【００３１】
広告表示化粧板２０は、表示部材２２に接着層２３を介してマグネット部材２４を固定することにより形成される。表示部材２２は、表面層２２０と芯材層２２９とを重ね合わせ、これを加熱加圧成形して積層することにより得られる。たとえば表示部材２２の成形時に、所定の板材を重ねることにより、広告表示化粧板２０の第１面２０１の表面粗さや光の反射率等を調整することができる。
【００３２】
表面層２２０は、たとえば以下の様にして得られる。まず、印刷基材２２２に広告コンテンツを印刷することにより印刷部２２１を形成する。次いで、印刷部２２１を設けた印刷基材２２２の一方の面に第１樹脂層２２３を形成し、他方の面に第２樹脂層２２４を形成する。
【００３３】
広告表示化粧板２０の製造は、製造情報に基づき、層構成や第１面２０１の表面形状を調整して行われる。
【００３４】
図１に戻り、製造支援システム１０の各構成要素について以下に説明する。広告依頼情報取得部１１０は、広告依頼情報を取得する。広告依頼情報取得部１１０は、予めメモリやストレージ等に記憶された広告依頼情報を読み出して取得しても良いし、外部の装置から入力されたりユーザの操作により入力されたりした広告依頼情報を取得しても良い。また、広告依頼情報取得部１１０は、通信ネットワークを介して広告依頼情報を取得しても良い。
【００３５】
広告依頼情報は、たとえば広告主からの依頼内容を示す情報であり、少なくとも広告コンテンツを示す情報を含む。広告コンテンツを示す情報は、たとえば広告表示化粧板に表示する情報であり、たとえば画像情報である。なお、広告コンテンツを示す情報は、複数の画像情報等の組み合わせであっても良い。広告コンテンツを示す情報は、そのまま、または必要に応じ画像処理を経て、たとえば上記した印刷基材２２２に印刷され、印刷部２２１によって表される。
【００３６】
広告依頼情報は、広告表示化粧板を貼り付ける面の形状を示す情報、広告の掲示場所を示す情報、予算を示す情報、および広告の掲示面の寸法を示す情報、広告媒体を示す情報の少なくともいずれかをさらに含んでもよい。広告表示化粧板を貼り付ける面の形状を示す情報は、広告媒体のうち広告表示化粧板を貼り付ける面の平面形状または立体形状を示す情報であり、たとえば最小曲率半径を示す情報を含む。広告の掲示場所を示す情報は、広告表示化粧板が施工されるべき場所を示す情報であり、たとえば、部屋、通路、エレベータ、およびショールームのいずれかを示す情報である。予算を示す情報は、広告主または施工主が広告表示化粧板を購入するための予算を示す情報であり、金額を示す情報である。広告の掲示面の寸法を示す情報は、広告表示化粧板の施工する予定の領域の寸法を示す情報である。掲示面はたとえば部屋やエレベータ等の一つの壁の全体または一部である。広告媒体を示す情報は、広告表示化粧板を貼り付ける対象物を示す情報であり、たとえば壁、扉、柱、および家具のいずれかを示す情報であり得る。
【００３７】
製造支援システム１０は、記憶部１５０をさらに備える。ただし、記憶部１５０は製造支援システム１０とは別途設けられていても良い。記憶部１５０には、複数の候補情報が保持されている。候補情報は、広告表示化粧板の候補を示す情報である。化粧板には、様々な層構造や素材、表面形状のものがありえ、広告表示化粧板の製造では、構成が異なる複数の化粧板の内どの化粧板を採用するかを選択する必要がある。各候補情報には各広告表示化粧板の特徴を示す情報が含まれる。
【００３８】
各候補情報は、たとえば、表面形状を示す情報、広告表示化粧板を構成する部材の素材を示す情報、および金額を示す情報の少なくともいずれかを含む。表面形状を示す情報は、たとえば第１面の表面粗さを示す情報である。表面形状を示す情報は、第１面の表面反射率を示す情報であってもよい。部材の素材を示す情報は、たとえば広告表示化粧板を構成する部材を示す情報および各部材の素材を示す情報を含む。広告表示化粧板を構成する部材を示す情報とは詳しくは、広告表示化粧板がどのような層をどのような積層順で含むかということを示す情報である。金額を示す情報は、たとえば所定の大きさの広告表示化粧板一枚あたりの金額を示す情報である。
【００３９】
候補情報取得部１２０は、記憶部１５０から複数の候補情報を読み出して取得する。
【００４０】
提示部１３０は候補情報取得部１２０が取得した複数の候補情報のうち少なくとも一つの候補情報と、広告依頼情報取得部１１０が取得した広告依頼情報のうち少なくとも広告コンテンツとを用いて、モニタに表示させるための提示データを生成する。そして、提示データがモニタに入力されることにより、候補情報のうち少なくとも一つの候補情報と、広告依頼情報取得部１１０が取得した広告依頼情報のうち少なくとも広告コンテンツとが表示される。広告コンテンツは画像として提示される。また、候補情報は、画像として提示されても良いし、文字情報として提示されても良い。候補情報が画像として提示される場合、たとえば候補情報が示す広告表示化粧板と同様の特徴を有する有色無地の化粧板の写真やモデルイメージが表示されても良い。また、候補情報が部材を示す情報を含む場合には化粧板の構成を示す図が表示されても良い。
【００４１】
提示部１３０は、たとえば候補情報取得部１２０が取得した複数の候補情報を一度に提示する必要は無い。たとえば、提示部１３０は、候補情報に予め付与された優先度の高い順に、所定の数ずつ候補情報を提示するようにしても良い。また、提示部１３０は、広告依頼情報に含まれる広告コンテンツ以外の情報をさらに提示しても良い。なお、候補情報と広告コンテンツは必ずしも同時に提示される必要は無い。ユーザの操作に応じて候補情報の表示と広告コンテンツの表示を切り替えられるようにしても良い。
【００４２】
入力部１４０は、入力インタフェースに接続されており、ユーザの入力を受け付ける。ユーザは、例示された候補情報の内、採用しようとする広告表示化粧板を示す候補情報を指定する入力を製造支援システム１０に対して行う。入力部１４０は、その入力を受け付ける。
【００４３】
出力部１９０は、入力部１４０が受け付けた入力により指定された候補情報を製造情報として出力する。製造情報は、たとえば選択した候補情報に対応する広告表示化粧板の型番を示す文字情報や、仕様を示すテーブル等を含みうる。製造情報は、広告コンテンツである画像情報をさらに含んでもよい。なお、出力部１９０は、候補情報を製造情報として適したデータとするように、必要に応じてデータフォーマット変換等を行っても良い。出力された製造情報は、広告表示化粧板を製造する製造部（不図示）で取得される。製造部はたとえばオートメーションで広告表示化粧板を製造する装置を含む。または、出力された製造情報は、広告表示化粧板を製造する製造部門の端末に送信される。製造部、または製造部門では、取得した製造情報に基づいて広告表示化粧板が製造される。なお、出力部１９０から出力された製造情報は、記憶部１５０や他のメモリ等に記憶されても良い。その場合も、製造部門等で、それを読み出して利用することができる。また、製造の前に、必要に応じて更なるチェック工程を経ても良い。
【００４４】
図３は、第１の実施形態に係る製造支援システム１０の処理の流れを例示するフローチャートである。まず、広告依頼情報取得部１１０が広告依頼情報を取得する（Ｓ１０）。また、候補情報取得部１２０が候補情報を取得する（Ｓ２０）。ただし、広告依頼情報の取得（Ｓ１０）と候補情報の取得（Ｓ２０）の順序は問わない。
【００４５】
次いで、提示部１３０は、広告コンテンツと候補情報をユーザに提示する（Ｓ３０）。ユーザは提示された広告コンテンツと候補情報を参照し、いずれかの候補情報を指定する入力を行う。入力部１４０はその入力を受け付ける（Ｓ４０）。ユーザはたとえば、広告コンテンツにおける文字の比率を確認し、複数の候補情報から、文字を視認しやすいと思われる候補情報を選択することができる。
【００４６】
入力部１４０が受け付けた候補情報は、出力部１９０によって、製造情報として出力される（Ｓ５０）。
【００４７】
なお、製造支援システム１０は、広告表示化粧板の設計者、製造者のみならず、広告主や施工主により広告表示化粧板の仕様の選択のために用いられても良い。
【００４８】
次に、本実施形態の作用および効果について説明する。本実施形態によれば、広告コンテンツおよび候補情報が提示され、ユーザはそれらを参照することによって、その広告コンテンツに適すると思われる広告表示化粧板の仕様を容易に選択できる。ひいては、広告表示化粧板の製造を容易にすることができる。
【００４９】
さらに、本実施形態に係る広告表示化粧板によれば、内装と広告の機能を併せ持ち、化粧板の施工コストを広告費でまかなえる。具体的には、エレベータ等の内壁が老朽化して新しい化粧板を施工したい場合、施工費が必要となる。ここで、本実施形態のような広告表示化粧板を施工すれば、施工主は広告主から広告費を徴収でき、それを施工費にあてることができる。したがって、施工主は少ない費用負担で内装の審美性を高めることができる。
【００５０】
（第２の実施形態）
図４は、第２の実施形態に係る製造支援システム１０の機能構成を例示するブロック図である。本実施形態に係る製造支援システム１０は、選択部１７０をさらに備える点を除いて第１の実施形態に係る製造支援システム１０と同じである。選択部１７０は、候補情報取得部１２０が取得した複数の候補情報のうち、提示する候補情報を選択する。そして、提示部１３０は、選択された候補情報を提示する。以下に詳しく説明する。
【００５１】
本実施形態において、選択部１７０は複数の候補情報から、広告依頼情報の条件に適した候補情報を選択する。そして、提示部１３０は選択部１７０で絞り込まれた候補情報のみを提示する。そうすることでユーザは、広告依頼の条件に適合しない候補情報を初めから参照する必要がなく、採用すべき候補情報を少ない選択肢の中で容易に指定することができる。
【００５２】
図５は、第２の実施形態に係る製造支援システム１０の処理の流れを例示するフローチャートである。本実施形態に係る製造支援システム１０の処理は、選択部１７０が複数の候補情報から少なくとも一つを選択する点を除いて、第１の実施形態に係る製造支援システム１０の処理と同じである。本実施形態の製造支援システム１０では、候補情報取得部１２０が複数の候補情報を取得した（Ｓ２０）後、取得された複数の候補情報から提示する候補情報を選択部１７０が選択する（Ｓ２５）。次いで、提示部１３０が、選択部１７０によって選択された候補情報を提示する（Ｓ３０）。提示部１３０は、選択部１７０に選択されなかった候補情報は提示しない。
【００５３】
選択部１７０が候補情報を選択する方法としては、たとえば以下の第１例から第３例に示す方法が挙げられる。ただし、選択部１７０が候補情報を選択する方法はこれらに限られない。
【００５４】
第１例では、広告依頼情報は、広告表示化粧板を貼り付ける面の形状を示す情報を含む。また、候補情報は、広告表示化粧板を構成する部材の素材を示す情報を含む。そして、選択部１７０は、広告表示化粧板を貼り付ける面の形状を示す情報に基づいて、提示する候補情報を選択する。以下に詳しく説明する。
【００５５】
選択部１７０は、広告表示化粧板を貼り付ける面の形状を示す情報に基づき、広告表示化粧板が備えるべき可撓性を特定する。たとえば広告表示化粧板を貼り付ける面の最小曲率半径がＲ１である場合、選択部１７０は複数の候補情報の内、Ｒ１よりも小さい曲率半径の曲げ耐性がある候補情報を選択する。具体的には、広告依頼情報は、広告表示化粧板を貼り付ける面の形状を示す情報として、広告表示化粧板を貼り付ける面の最小曲率半径Ｒ１を示す情報を含む。
【００５６】
そして、候補情報は、広告表示化粧板を構成する各部材の素材を示す情報を含む。たとえば、候補情報は、マグネット層の素材、接着層の素材、第１樹脂層の素材、第２樹脂層の素材等を示す情報をそれぞれ含んでいる。また、記憶部１５０には、部材の素材と、その部材の曲げ耐性（破損を生じない最小曲率半径Ｒ２）とを関連づけたテーブルが予め保持されている。テーブルは、たとえば事前の試験等により作成し、記憶部１５０に保持させることができる。選択部１７０は、そのテーブルを読み出し、各候補情報に含まれる各部材の素材に対応する曲げ耐性を抽出する。そして、各候補情報に対し、抽出した曲げ耐性のうち、最も大きい曲率半径Ｒ２が、曲率半径Ｒ１よりも小さいか否かを判定し、小さい場合にその候補情報を選択する。一方、小さくない場合、その候補情報選択しない。全ての候補情報について同様の判定を行い、提示する候補情報を選択する。
【００５７】
なお、候補情報には各部材の素材に加えて各部材の厚さを示す情報が含まれ、テーブルには素材と厚さの組み合わせごとに曲げ耐性が関連づけられていても良い。その場合、選択部１７０は、部材の厚さも加味して提示する候補情報を選択することができる。
【００５８】
第２例の方法について、以下に説明する。本例において、広告依頼情報は、広告の掲示場所を示す情報を含む。また、候補情報は、表面形状を示す情報として広告表示化粧板の第１面の表面粗さを示す情報を含む。そして、選択部１７０は、掲示場所を示す情報に基づいて提示する候補情報を選択する。以下に詳しく説明する。
【００５９】
掲示場所によって、標準的な明るさが異なることから、適した広告表示化粧板の条件も異なる。選択部１７０は、掲示場所を示す情報に基づき、その掲示場所で広告コンテンツを視認しやすい表面粗さ、すなわち表面光沢を有する候補情報を選択する。具体的には、記憶部１５０には、掲示場所と、その掲示場所で広告コンテンツを視認しやすい表面粗さの推奨範囲とを関連づけたテーブルが予め保持されている。テーブルは、事前の試験や調査により作成し、記憶部１５０に保持させておくことができる。選択部１７０は、そのテーブルを読み出し、広告依頼情報に示された掲示場所に対応する推奨範囲を抽出する。そして、各候補情報について第１面の表面粗さが抽出した推奨範囲内にあるか否かを判定し、範囲内にある場合にその候補情報を選択する。一方、範囲内に無い場合、その候補情報選択しない。全ての候補情報について同様の判定を行い、提示する候補情報を選択する。
【００６０】
第３例の方法について、以下に説明する。本例において、広告依頼情報は、予算を示す情報をさらに含む。また、候補情報は金額を示す情報を含む。そして選択部１７０は、金額を示す情報および予算を示す情報に基づいて提示する候補情報を選択する。以下に詳しく説明する。
【００６１】
予め依頼主の予算が決まっている場合、広告表示化粧板は、その予算の範囲内で施工する必要がある。一方、広告表示化粧板の層構成や素材が異なる場合には、それらの広告表示化粧板の金額も各々異なる。選択部１７０は、予算の範囲内で製造できる広告表示化粧板の候補情報を選択する。具体的には、選択部１７０は、各候補情報において、金額が広告依頼情報に示された予算より低いか否かを判定し、低い場合にその候補情報を選択する。一方、低くない場合、その候補情報選択しない。全ての候補情報について同様の判定を行い、提示する候補情報を選択する。なお、依頼情報が広告の掲示面の寸法を示す情報をさらに含む場合、選択部１７０はその掲示面を敷き詰めるのに必要な広告表示化粧板の枚数を算出できる。そして、候補情報に含まれる広告表示化粧板の一枚あたりの値段に、算出した枚数を乗じて金額を算出し、算出した金額を用いて上記の判定を行っても良い。
【００６２】
選択部１７０は、第１例から第３例に示したような選択方法の内、複数の選択方法を併用しても良い。その場合、いずれの選択方法でも提示する候補情報として選択された候補情報を、提示部１３０が提示する。
【００６３】
また、第１例から第３例において、提示する候補情報は二つ以上であっても良い。また、提示する候補情報が存在しなかった場合には、たとえば選択部１７０がその旨を示す情報を提示部１３０に入力し、提示部１３０が候補がないことを示す表示を行う。
【００６４】
以上、本実施形態によれば、第１の実施形態と同様の作用及び効果が得られる。くわえて、本実施形態に係る製造支援システム１０によれば、ユーザは、広告依頼の条件に適合しない候補情報を初めから参照する必要がなく、採用すべき候補情報を少ない選択肢の中で容易に指定することができる。
【００６５】
（第３の実施形態）
図６は、第３の実施形態に係る製造支援システム１０の機能構成を例示するブロック図である。本実施形態に係る製造支援システム１０は、以下に説明する点を除いて第１の実施形態および第２の実施形態の少なくともいずれかと同様の構成を有する。なお、本図では、第１の実施形態に対応する例を示している。
【００６６】
本実施形態に係る製造支援システム１０は、広告依頼情報を処理する処理部１６０をさらに備える。また、広告依頼情報は、広告の掲示面の寸法を示す情報を含む。処理部１６０は、寸法を示す情報に基づいて広告コンテンツを複数に分割し、提示部１３０は、分割された広告コンテンツを提示する。以下に詳しく説明する。
【００６７】
図７は、本実施形態に係る広告表示化粧板２０の施工方法を説明するための図である。本施工方法では、上述したような広告表示化粧板２０を、広告媒体に対して固定する。以下に詳しく説明する。
【００６８】
本図では、広告表示化粧板２０を、エレベータの内壁に対して固定する例を示している。特に、複数の広告表示化粧板２０を、並べて固定している。広告表示化粧板２０のサイズは内壁のサイズに合わせて調整され、内壁は複数の広告表示化粧板２０によりほぼ全体が覆われている。このように複数の広告表示化粧板２０を用いることにより、一枚の広告表示化粧板２０のみで覆う場合よりも広告表示化粧板２０の製造や運搬、施工が容易になる。この場合、一つの広告コンテンツが複数に分割されて各広告表示化粧板２０に表示されてもよい。すなわち、複数の広告表示化粧板２０の組み合わせによりひとつの広告コンテンツが構成されていてもよい。なお、一つの広告媒体に複数の広告コンテンツ（たとえば広告主が互いに異なる）が表示されても良い。
【００６９】
図６に戻り、処理部１６０は、たとえば、広告依頼情報取得部１１０が取得した広告依頼情報の広告コンテンツを、広告依頼情報が示す広告の掲示面の寸法の範囲内で最大化するよう必要に応じて拡大または縮小する。なお、広告依頼情報に、広告コンテンツを表示すべき実寸法を示す情報が含まれる場合には、その実寸法にあわせて広告コンテンツを拡大または縮小してもよい。そして、処理部１６０は、掲示面における広告コンテンツの位置を定める。具体的にはたとえば広告コンテンツの中心と掲示面の中心とが一致するように位置を定めることができる。
【００７０】
さらに、処理部１６０は、掲示面における複数の広告表示化粧板の配置を定める。たとえば、掲示面の寸法が上下方向にＬ１左右方向にＷ１であり、一枚の広告表示化粧板の寸法が上下方向にＬ２左右方向にＷ２であるとき、掲示面のうち複数の広告表示化粧板の継ぎ目を示す境界線が掲示面の左右いずれかの一辺からＷ２の間隔で設定される。また、境界線が掲示面の上下いずれかの一辺からＬ２の間隔で設定される。
【００７１】
そして、処理部１６０は、掲示面に対する広告コンテンツの位置関係と、複数の広告表示化粧板の位置関係が対応するように、広告コンテンツに対する上記境界線、すなわち分割線の位置を定める。提示部１３０は、広告コンテンツを提示する際、画像に広告コンテンツに重ねて複数の広告表示化粧板の境界線を表示する。
【００７２】
なお、提示部１３０で提示される広告コンテンツの分割方法や位置は仮のものであって良く、提示部１３０で提示された境界線の位置は、ユーザが必要に応じて変更できるようにしても良い。
【００７３】
なお、処理部１６０が広告コンテンツを複数に分割する処理方法は上記に限定されない。たとえば、エレベータの内壁に広告コンテンツを掲示する場合、エレベータ操作盤や、予め他の案内板が設けられていても良い。また、広告コンテンツを掲示する領域は丸型であったり、広告コンテンツに対してたとえば傾いた正方形や長方形であったりしても良い。さらに、あえて下地を露出させるように、掲示面が設定されていても良い。これらの場合、処理部１６０は、たとえば上記と同様に掲示面における広告コンテンツの位置を定めることができる。そして処理部１６０は、広告表示化粧板のサイズの格子を重ねることで掲示面における複数の広告表示化粧板の配置を定めることができる。
【００７４】
以上、本実施形態によれば、第１の実施形態と同様の作用及び効果が得られる。くわえて、本実施形態に係る製造支援システム１０によれば、ユーザは、施工される広告表示化粧板における広告コンテンツの配置を確認でき、施工後の状態をより明確にイメージすることができる。
【００７５】
（第４の実施形態）
図８は、第４の実施形態に係る製造支援システム１０の機能構成を例示するブロック図である。本実施形態に係る製造支援システム１０は、以下に説明する点を除いて第１から第３の実施形態の少なくともいずれかと同様の構成を有する。なお、本図では、第１の実施形態に対応する例を示している。
【００７６】
本実施形態に係る製造支援システム１０は、広告媒体に広告表示化粧板が施工された状態を示す画像を生成する画像生成部１８０をさらに備える。また、広告依頼情報は広告媒体を示す情報を含み、画像生成部１８０は、広告依頼情報に基づいて広告媒体に広告表示化粧板が施工された状態を示す画像を生成する。そして提示部１３０は、生成された画像を提示する。以下に詳しく説明する。
【００７７】
本実施形態において、記憶部１５０には予め複数の広告媒体のモデル画像データが保持されている。そして画像生成部１８０は、広告依頼情報に示された広告媒体に対応するモデル画像データを記憶部１５０から読み出し、モデル画像の所定の位置に広告コンテンツを嵌め込むことで提示する画像を生成する。提示部１３０は、画像生成部１８０で生成された画像を表示するためのデータを取得して候補情報と共に提示する。提示部１３０は、別途広告コンテンツのみの画像を提示しても良いし、提示しなくても良い。
【００７８】
なお、画像生成部１８０が生成する画像は三次元画像であっても良い。そうすれば、ユーザは様々な角度からのモデルを確認し、より施工後の状態をイメージしやすくなる。
【００７９】
また、広告依頼情報が掲示場所を示す情報を含む場合、画像生成部１８０は、広告依頼情報に示された掲示場所および広告媒体に広告表示化粧板が施工された状態を示す画像を生成してもよい。その場合、記憶部１５０には予め複数の広告媒体と複数の掲示場所との組み合わせに対応したモデル画像データが保持されている。そして画像生成部１８０は、広告依頼情報に示された掲示場所および広告媒体に対応するモデル画像データを記憶部１５０から読み出し、モデル画像の所定の位置に広告コンテンツを嵌め込むことで提示する画像を生成する。画像が掲示場所（部屋、通路、エレベータ等）と広告媒体（壁、柱、家具等）との組み合わせに対応することにより、ユーザはより施工後の状態をイメージしやすくなる。
【００８０】
以上、本実施形態によれば、第１の実施形態と同様の作用及び効果が得られる。くわえて、本実施形態に係る製造支援システム１０によれば、ユーザは、広告媒体に広告表示化粧板が施工された状態を示す画像を確認でき、施工後の状態をより明確にイメージすることができる。
【００８１】
以上、図面を参照して本発明の実施形態について述べたが、これらは本発明の例示であり、上記以外の様々な構成を採用することもできる。
【００８２】
以下、参考形態の例を付記する。
１−１．  広告コンテンツを第１面側から視認可能に構成された広告表示化粧板の製造支援システムであって、
前記広告コンテンツを示す情報を含む広告依頼情報を取得する広告依頼情報取得部と、
前記広告表示化粧板の前記第１面の表面形状を示す情報を含む候補情報を複数取得する候補情報取得部と、
前記広告依頼情報に基づいて前記広告コンテンツを提示し、前記複数の候補情報のうち少なくとも一つを提示する提示部と、
提示された前記候補情報の内、採用する前記候補情報を示す入力を受け付ける入力部と、
前記入力部への入力結果に基づいて、製造する前記広告表示化粧板が満たすべき条件を示す製造情報を出力する出力部とを備える広告表示化粧板の製造支援システム。
１−２．  １−１．に記載の広告表示化粧板の製造支援システムにおいて、
前記広告表示化粧板は、前記第１面側から前記広告コンテンツを視認可能に構成された表示部材と、前記表示部材の前記第１面側とは反対側の第２面側に固定されたマグネット部材とを備える広告表示化粧板の製造支援システム。
１−３．  １−１．または１−２．に記載の広告表示化粧板の製造支援システムにおいて、
取得した前記複数の候補情報のうち、提示する前記候補情報を選択する選択部をさらに備え、
前記提示部は、選択された前記候補情報を提示する広告表示化粧板の製造支援システム。
１−４．  １−３．に記載の広告表示化粧板の製造支援システムにおいて、
前記広告依頼情報は、前記広告表示化粧板を貼り付ける面の形状を示す情報をさらに含み、
前記候補情報は、前記広告表示化粧板を構成する部材の素材を示す情報をさらに含み、
前記選択部は、前記面の形状を示す情報に基づいて、前記提示する候補情報を選択する広告表示化粧板の製造支援システム。
１−５．  １−３．または１−４．に記載の広告表示化粧板の製造支援システムにおいて、
前記広告依頼情報は、広告の掲示場所を示す情報をさらに含み、
前記候補情報は、前記表面形状を示す情報として前記広告表示化粧板の前記第１面の表面粗さを示す情報を含み、
前記選択部は、前記掲示場所を示す情報に基づいて前記提示する候補情報を選択する広告表示化粧板の製造支援システム。
１−６．  １−３．から１−５．のいずれか一つに記載の広告表示化粧板の製造支援システムにおいて、
前記広告依頼情報は、予算を示す情報をさらに含み、
前記候補情報は、金額を示す情報をさらに含み、
前記選択部は、前記金額を示す情報および前記予算を示す情報に基づいて前記提示する候補情報を選択する広告表示化粧板の製造支援システム。
１−７．  １−１．から１−６．のいずれか一つに記載の広告表示化粧板の製造支援システムにおいて、
前記広告依頼情報を処理する処理部をさらに備え、
前記広告依頼情報は、広告の掲示面の寸法を示す情報をさらに含み、
前記処理部は、前記寸法を示す情報に基づいて前記広告コンテンツを複数に分割し、
前記提示部は、分割された前記広告コンテンツを提示する広告表示化粧板の製造支援システム。
１−８．  １−１．から１−７．のいずれか一つに記載の広告表示化粧板の製造支援システムにおいて、
広告媒体に前記広告表示化粧板が施工された状態を示す画像を生成する画像生成部をさらに備え、
前記広告依頼情報は、前記広告媒体を示す情報を含み、
前記画像生成部は、前記広告依頼情報に基づいて、前記画像を生成し、
前記提示部は、前記画像を提示する広告表示化粧板の製造支援システム。
２−１．  広告コンテンツを第１面側から視認可能に構成された広告表示化粧板の製造支援システムを実現するためのコンピュータプログラムであって、
コンピュータを、
前記広告コンテンツを示す情報を含む広告依頼情報を取得する広告依頼情報取得手段、
前記広告表示化粧板の前記第１面の表面形状を示す情報を含む候補情報を複数取得する候補情報取得手段、
前記広告依頼情報に基づいて前記広告コンテンツを提示し、前記複数の候補情報のうち少なくとも一つを提示する提示手段、
提示された前記候補情報の内、採用する前記候補情報を示す入力を受け付ける入力手段、および
前記入力手段への入力結果に基づいて、製造する前記広告表示化粧板が満たすべき条件を示す製造情報を出力する出力手段として機能させるコンピュータプログラム。
２−２．  ２−１．に記載のコンピュータプログラムにおいて、
前記広告表示化粧板は、前記第１面側から前記広告コンテンツを視認可能に構成された表示部材と、前記表示部材の前記第１面側とは反対側の第２面側に固定されたマグネット部材とを備えるコンピュータプログラム。
２−３．  ２−１．または２−２．に記載のコンピュータプログラムにおいて、
コンピュータを、取得した前記複数の候補情報のうち、提示する前記候補情報を選択する選択手段としてさらに機能させ、
前記提示手段は、選択された前記候補情報を提示するコンピュータプログラム。
２−４．  ２−３．に記載のコンピュータプログラムにおいて、
前記広告依頼情報は、前記広告表示化粧板を貼り付ける面の形状を示す情報をさらに含み、
前記候補情報は、前記広告表示化粧板を構成する部材の素材を示す情報をさらに含み、
前記選択手段は、前記面の形状を示す情報に基づいて、前記提示する候補情報を選択するコンピュータプログラム。
２−５．  ２−３．または２−４．に記載のコンピュータプログラムにおいて、
前記広告依頼情報は、広告の掲示場所を示す情報をさらに含み、
前記候補情報は、前記表面形状を示す情報として前記広告表示化粧板の前記第１面の表面粗さを示す情報を含み、
前記選択手段は、前記掲示場所を示す情報に基づいて前記提示する候補情報を選択するコンピュータプログラム。
２−６．  ２−３．から２−５．のいずれか一つに記載のコンピュータプログラムにおいて、
前記広告依頼情報は、予算を示す情報をさらに含み、
前記候補情報は、金額を示す情報をさらに含み、
前記選択手段は、前記金額を示す情報および前記予算を示す情報に基づいて前記提示する候補情報を選択するコンピュータプログラム。
２−７．  ２−１．から２−６．のいずれか一つに記載のコンピュータプログラムにおいて、
コンピュータを、前記広告依頼情報を処理する処理手段としてさらに機能させ、
前記広告依頼情報は、広告の掲示面の寸法を示す情報をさらに含み、
前記処理手段は、前記寸法を示す情報に基づいて前記広告コンテンツを複数に分割し、
前記提示手段は、分割された前記広告コンテンツを提示するコンピュータプログラム。
２−８．  ２−１．から２−７．のいずれか一つに記載のコンピュータプログラムにおいて、
コンピュータを、広告媒体に前記広告表示化粧板が施工された状態を示す画像を生成する画像生成手段としてさらに機能させ、
前記広告依頼情報は、前記広告媒体を示す情報を含み、
前記画像生成手段は、前記広告依頼情報に基づいて、前記画像を生成し、
前記提示手段は、前記画像を提示するコンピュータプログラム。
【符号の説明】
【００８３】
１０  製造支援システム
２０  広告表示化粧板
２２  表示部材
２３  接着層
２４  マグネット部材
１１０  広告依頼情報取得部
１２０  候補情報取得部
１３０  提示部
１４０  入力部
１５０  記憶部
１６０  処理部
１７０  選択部
１８０  画像生成部
１９０  出力部
２２０  表面層
２２１  印刷部
２２２  印刷基材
２２３  第１樹脂層
２２４  第２樹脂層
２２９  芯材層
【図１】
2018037023.tif 000003
【図２】
2018037023.tif 000004
【図３】
2018037023.tif 000005
【図４】
2018037023.tif 000006
【図５】
2018037023.tif 000007
【図６】
2018037023.tif 000008
【図７】
2018037023.tif 000009
【図８】
2018037023.tif 000010